【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
ジョブ処理装置であって、
ジョブを実行する実行手段と、
前記実行手段によって実行されているジョブで第１の中断要因が発生したことに従って、当該第１の中断要因が発生したジョブの再開のための操作に関する第１の画面を表示し、前記実行手段によって実行されているジョブで第２の中断要因が発生したことに従って、当該第２の中断要因が発生したジョブの再開のための操作に関する第２の画面を表示する表示手段と、
を有し、
前記表示手段は、前記ジョブ処理装置にログインした先のユーザが指示したジョブで発生した前記第１の中断要因に基づいて、前記先のユーザが前記ジョブ処理装置にログインしている状態で前記第１の画面を表示し、前記先のユーザが指示したジョブで発生した前記第２の中断要因に基づいて、前記先のユーザが前記ジョブ処理装置にログインしている状態で前記第２の画面を表示し、前記先のユーザが指示したジョブで発生した前記第１の中断要因に基づいて、前記先のユーザとは異なるユーザが前記ジョブ処理装置にログインしている状態で前記第１の画面を表示し、前記先のユーザが指示したジョブで発生した前記第２の中断要因に基づいて、前記先のユーザとは異なるユーザが前記ジョブ処理装置にログインしている状態で前記第２の画面を表示しない
ことを特徴とするジョブ処理装置。
【請求項２】
前記先のユーザが指示したジョブで発生した中断要因に基づいて、前記先のユーザとは異なるユーザが前記ジョブ処理装置にログインしている状態で当該中断要因が発生したジョブの再開のための操作に関する画面を表示するよう設定する第１の設定手段を更に有し、
前記表示手段は、前記第１の設定手段によって前記画面を表示するよう設定された場合、前記先のユーザが指示したジョブで発生した前記第２の中断要因に基づいて、前記先のユーザとは異なるユーザが前記ジョブ処理装置にログインしている状態で前記第２の画面を表示する
ことを特徴とする請求項１に記載のジョブ処理装置。
【請求項３】
前記表示手段は、前記先のユーザとは異なるユーザが前記ジョブ処理装置にログインしている状態で前記第２の画面を表示しない場合、前記先のユーザが前記ジョブ処理装置にログインしたことに従って前記第２の画面を表示する
ことを特徴とする請求項１又は２に記載のジョブ処理装置。
【請求項４】
中断要因が発生したジョブを指示したユーザが前記ジョブ処理装置にログインしている状態であるか否かを判定する判定手段を更に有し、
前記表示手段は、前記判定手段によって中断要因が発生したジョブを指示したユーザが前記ジョブ処理装置にログインしている状態であると判定された場合、前記先のユーザが指示したジョブで発生した前記第１の中断要因に基づいて、前記先のユーザが前記ジョブ処理装置にログインしている状態で前記第１の画面を表示し、前記先のユーザが指示したジョブで発生した前記第２の中断要因に基づいて、前記先のユーザが前記ジョブ処理装置にログインしている状態で前記第２の画面を表示し、前記判定手段によって中断要因が発生したジョブを指示したユーザが前記ジョブ処理装置にログインしている状態でないと判定された場合、前記先のユーザが指示したジョブで発生した前記第１の中断要因に基づいて、前記先のユーザとは異なるユーザが前記ジョブ処理装置にログインしている状態で前記第１の画面を表示し、前記先のユーザが指示したジョブで発生した前記第２の中断要因に基づいて、前記先のユーザとは異なるユーザが前記ジョブ処理装置にログインしている状態で前記第２の画面を表示しない
ことを特徴とする請求項１乃至３のいずれか１項に記載のジョブ処理装置。
【請求項５】
前記第２の中断要因は、読取手段によって読み取られる原稿のジャムである
ことを特徴とする請求項１乃至４のいずれか１項に記載のジョブ処理装置。
【請求項６】
前記第１の中断要因は、印刷手段によって印刷すべきシートのジャムである
ことを特徴とする請求項１乃至５のいずれか１項に記載のジョブ処理装置。
【請求項７】
保持手段からシートを搬送する搬送手段と、
前記搬送手段によって搬送されたシートに画像を印刷する印刷手段と、
を更に有し、
前記第２の中断要因は、前記印刷手段によって印刷すべきシートが前記保持手段に保持されていないことである
ことを特徴とする請求項１乃至６のいずれか１項に記載のジョブ処理装置。
【請求項８】
前記保持手段は、手差しトレイであることを特徴とする請求項７に記載のジョブ処理装置。
【請求項９】
前記第１の中断要因は、印刷手段によって印刷に使用するトナーの残量がないことである
ことを特徴とする請求項１乃至８のいずれか１項に記載のジョブ処理装置。
【請求項１０】
前記第２の中断要因の種類は、ユーザによって設定可能である
ことを特徴とする請求項１乃至９のいずれか１項に記載のジョブ処理装置。
【請求項１１】
ジョブ処理装置であって、
ジョブを実行する実行手段と、
前記実行手段によって実行されているジョブで中断要因が発生したことに従って、当該中断要因が発生したジョブの再開のための操作に関する画面を表示する表示手段と、
前記ジョブ処理装置にログインした先のユーザが指示したジョブで発生した中断要因の内容に基づいて、当該先のユーザとは異なるユーザが前記ジョブ処理装置にログインしている状態で前記画面を表示するか否かを決定する決定手段と、
を有することを特徴とするジョブ処理装置。
【請求項１２】
ジョブ処理装置であって、
ジョブを実行する実行手段と、
前記実行手段によって実行されているジョブで第１の中断要因が発生した後、当該第１の中断要因が発生したジョブの再開のための操作に関する第１の画面を表示する第１の表示手段と、
前記実行手段によって実行されているジョブで第２の中断要因が発生した後、当該第２の中断要因が発生したジョブの再開のための操作に関する第２の画面を表示する第２の表示手段と、
を有し、
前記第１の表示手段は、前記ジョブ処理装置にログインしているユーザが前記第１の中断要因が発生したジョブを指示したユーザと同一である場合も異なる場合も、前記第１の画面を表示し、
前記第２の表示手段は、前記ジョブ処理装置にログインしているユーザが前記第２の中断要因が発生したジョブを指示したユーザと同一であることに基づいて、前記第２の画面を表示する
ことを特徴とするジョブ処理装置。
【請求項１３】
ジョブ処理装置の制御方法であって、
ジョブを実行する実行工程と、
前記実行工程で実行されているジョブで第１の中断要因が発生したことに従って、当該第１の中断要因が発生したジョブの再開のための操作に関する第１の画面を表示し、前記実行工程で実行されているジョブで第２の中断要因が発生したことに従って、当該第２の中断要因が発生したジョブの再開のための操作に関する第２の画面を表示する表示工程と、
前記ジョブ処理装置にログインした先のユーザが指示したジョブで発生した前記第１の中断要因に基づいて、前記先のユーザが前記ジョブ処理装置にログインしている状態で前記第１の画面を表示し、前記先のユーザが指示したジョブで発生した前記第２の中断要因に基づいて、前記先のユーザが前記ジョブ処理装置にログインしている状態で前記第２の画面を表示し、前記先のユーザが指示したジョブで発生した前記第１の中断要因に基づいて、前記先のユーザとは異なるユーザが前記ジョブ処理装置にログインしている状態で前記第１の画面を表示し、前記先のユーザが指示したジョブで発生した前記第２の中断要因に基づいて、前記先のユーザとは異なるユーザが前記ジョブ処理装置にログインしている状態で前記第２の画面を表示しない表示工程と、
を有することを特徴とするジョブ処理装置の制御方法。
【請求項１４】
ジョブ処理装置の制御方法であって、
ジョブを実行する実行工程と、
前記実行工程で実行されているジョブで中断要因が発生したことに従って、当該中断要因が発生したジョブの再開のための操作に関する画面を表示する表示工程と、
前記ジョブ処理装置にログインした先のユーザが指示したジョブで発生した中断要因の内容に基づいて、当該先のユーザとは異なるユーザが前記ジョブ処理装置にログインしている状態で前記画面を表示するか否かを決定する決定工程と、
を有することを特徴とするジョブ処理装置の制御方法。
【請求項１５】
請求項１３又は１４に記載のジョブ処理装置の制御方法を、コンピュータに実行させるためのプログラム。
【手続補正２】
【補正対象書類名】明細書
【補正対象項目名】００１１
【補正方法】変更
【補正の内容】
【００１１】
本発明は、上記の課題に鑑みてなされたものである。本発明の目的は、ログインした先のユーザが指示したジョブで発生した中断要因の内容に基づいて、当該先のユーザとは異なるユーザがログインしている状態で当該中断要因が発生したジョブの再開のための操作に関する画面を表示するか否かを決定する装置や方法等を提供する。
【手続補正３】
【補正対象書類名】明細書
【補正対象項目名】００１２
【補正方法】変更
【補正の内容】
【００１２】
上記目的を達成するために本発明の一態様に係るジョブ処理装置は以下のような構成を備える。即ち、ジョブ処理装置であって、ジョブを実行する実行手段と、前記実行手段によって実行されているジョブで第１の中断要因が発生したことに従って、当該第１の中断要因が発生したジョブの再開のための操作に関する第１の画面を表示し、前記実行手段によって実行されているジョブで第２の中断要因が発生したことに従って、当該第２の中断要因が発生したジョブの再開のための操作に関する第２の画面を表示する表示手段と、を有し、前記表示手段は、前記ジョブ処理装置にログインした先のユーザが指示したジョブで発生した前記第１の中断要因に基づいて、前記先のユーザが前記ジョブ処理装置にログインしている状態で前記第１の画面を表示し、前記先のユーザが指示したジョブで発生した前記第２の中断要因に基づいて、前記先のユーザが前記ジョブ処理装置にログインしている状態で前記第２の画面を表示し、前記先のユーザが指示したジョブで発生した前記第１の中断要因に基づいて、前記先のユーザとは異なるユーザが前記ジョブ処理装置にログインしている状態で前記第１の画面を表示し、前記先のユーザが指示したジョブで発生した前記第２の中断要因に基づいて、前記先のユーザとは異なるユーザが前記ジョブ処理装置にログインしている状態で前記第２の画面を表示しないことを特徴とする。
【手続補正４】
【補正対象書類名】明細書
【補正対象項目名】００１３
【補正方法】変更
【補正の内容】
【００１３】
本発明によれば、ログインした先のユーザが指示したジョブで発生した中断要因の内容に基づいて、当該先のユーザとは異なるユーザがログインしている状態で当該中断要因が発生したジョブの再開のための操作に関する画面を表示するか否かを決定することができる。